(57)【要約】【課題】  乗用型茶園管理機が蛇行走行しても、アームに負荷が加わるのを抑制し、もって、アームの損傷を防止することができる乗用型茶園管理機を得る。【解決手段】  茶園５０の畝を跨いで走行することが可能な乗用型茶園管理機１であって、乗用型茶園管理機１は、茶園５０の畝間の土壌を耕す耕部３が設けられた作業機２を備えており、乗用型茶園管理機１と作業機２はアーム６によって連結されており、アーム６は、乗用型茶園管理機１の走行方向に対して直交する左右方向に揺動可能である。【選択図】  図１
2005110532.tif 000002
【特許請求の範囲】
【請求項１】
茶園の畝を跨いで走行することが可能な乗用型茶園管理機であって、
前記乗用型茶園管理機は、茶園の畝間の土壌を耕す耕部が設けられた作業機を備えており、
前記乗用型茶園管理機と前記作業機はアームによって連結されており、
前記アームは、乗用型茶園管理機の走行方向に対して直交する左右方向に揺動可能であることを特徴とする乗用型茶園管理機。
【請求項２】
請求項１に記載の乗用型茶園管理機において、
前記アームは、弾性体を備えており、該弾性体の弾性力によって中立位置に保持されることを特徴とする乗用型茶園管理機。
【発明の詳細な説明】
【技術分野】
【０００１】
本発明は、茶園の畝を跨いで走行する、カルチ機や転地返し機、除草機等の作業機を備えた乗用型茶園管理機に関するものである。
【背景技術】
【０００２】
近年の茶園管理作業は、茶園の畝を跨いで走行する乗用型茶園管理機で行われており、近年の進歩は目覚ましい。この乗用型茶園管理機で茶園管理を行うと、畝間の地盤が硬化してしまう。畝間の土壌には、茶の生育を向上させるための肥料等がまかれているが、畝間の地盤が硬化してしまうと、肥料を根が吸収せず、茶の生育に支障をきたしてしまう。
【０００３】
そこで、従来においては、乗用型茶園管理機に備えられたカルチ機や転地返し機等の作業機で畝間の土壌を耕し、畝間の地盤の硬化を防止している（例えば、特許文献１参照。）。
【特許文献１】特開平８−２０５６０６号公報
【発明の開示】
【発明が解決しようとする課題】
【０００４】
耕部（カルチ部）が設けられた作業機はアームによって乗用型茶園管理機で連結されており、このアームには、油圧シリンダーが設けられている。この油圧シリンダーの油圧を予め設定された設定値に設定圧力（０〜５０ｋｇ／ｃｍ２）（固定）することにより、作業機のカルチ部が畝間の土壌に補助ローラで設定された深さに食い込んで耕す深さ（深耕レベル）が一定に保たれている。
【０００５】
しかしながら、乗用型茶園管理機が蛇行走行する場合には、作業機のカルチ部が土壌に深く食い込んでいるために、アームに負荷が加わり、その結果、アームが損傷してしまうという問題がある。従って、作業者は、乗用型茶園管理機を操作する際にアームが損傷しないように神経を使う必要があった。
【０００６】
本発明は、上述のような従来技術の問題点に鑑みてなされたものであり、乗用型茶園管理機が蛇行走行しても、アームに負荷が加わるのを抑制し、もって、アームの損傷を防止することができる乗用型茶園管理機を提供することを目的とする。
【課題を解決するための手段】
【０００７】
本発明は、茶園の畝を跨いで走行することが可能な乗用型茶園管理機であって、前記乗用型茶園管理機は、茶園の畝間の土壌を耕す耕部が設けられた作業機を備えており、前記乗用型茶園管理機と前記作業機はアームによって連結されており、前記アームは、乗用型茶園管理機の走行方向に対して直交する左右方向に揺動可能であることを特徴とする乗用型茶園管理機を提供する。
【０００８】
また、前記アームは、弾性体を備えることができ、該弾性体の弾性力によって中立位置に保持される方が好ましい。
【発明の効果】
【０００９】
本発明によれば、乗用型茶園管理機が蛇行走行しても、アームに負荷が加わるのを抑制し、もって、アームの損傷を防止することができる。
【発明を実施するための最良の形態】
【００１０】
以下、本発明にかかる乗用型茶園管理機を実施するための最良の形態について図面を参照しながら述べる。図１（ａ）は、乗用型茶園管理機の右側面図を示し、図１（ｂ）は、乗用型茶園管理機の正面図を示し、図２（ａ）は、乗用型茶園管理機の左側面図を示し、図２（ｂ）は、乗用型茶園管理機の後面図を示している。
【００１１】
図１及び図２において、符号１は、乗用型茶園管理機を示している。この乗用型茶園管理機１は、茶園５０の畝を跨いで走行することが可能なものであり、乗用型茶園管理機１の後方には、作業機２が設けられている。また、詳細な説明は省略するが、乗用型茶園管理機１は、運転席６０、操行ハンドル６１、エンジン６２、コントロールボックス６３、燃料タンク６４等を備えている。
【００１２】
乗用型茶園管理機１の下部には、茶園の畝を跨いだ一対のクローラー４を有しており、このクローラー４によって、乗用型茶園管理機１は茶園の畝を跨いで走行することができる。乗用型茶園管理機１の後方であって、クローラー４の後部には、一対の作業機２が設けられている。この各作業機２は、耕部３を有しており、この耕部３によって茶園の畝間の土壌を耕すようになっている。また、作業機２には、耕部３の後方位置に補助ローラー５が設けられている。また、作業機２は、アーム６によって乗用型茶園管理機１の後部と連結されている。従って、作業機２は、アーム６と補助ローラー５によって支持された状態で乗用型茶園管理機１の後部に連結されている。また、作業機２の外周には、茶葉を傷つけないようにするためと両裾部にならって畝間中央を耕すようにカバー３０が設けられている。
【００１３】
図５によく示すように、このアーム６は、箱形の基部１２を有しており、この基部１２が乗用型茶園管理機１の後部に設けられた軸７に上下方向（図１において上下方向）に回動可能に取り付けられている。基部１２内には、上下方向に伸びた軸１３が設けられており、アーム６の一端はこの軸１３に上下方向に対して直交し、かつ、乗用型茶園管理機１の走行方向に対して直交する左右方向（図５において符号１４で示す方向）に回動可能に取り付けられている。
【００１４】
また、基部１２の側部１５の内面とアーム６との間には、弾性体としてのコイルバネ１６が圧縮された状態でそれぞれ設けられている。すなわち、アーム６は、二つのコイルバネ１６の付勢力によって中立位置に保持されている。アーム６の他端は、適宜の手段によって作業機２の前部に固定状態で連結されている。従って、アーム６は、軸７を中心にして上下方向（図１（ａ）において符号８で示す方向）に回動可能であると共に、軸１３を中心にして左右方向に揺動可能となっている。アーム６の揺動に伴って作業機２も揺動する。
【００１５】
アーム６と乗用型茶園管理機１の後部は、油圧シリンダー９によって連結されている。油圧シリンダー９は、ロッド１０が伸縮するように乗用型茶園管理機１の後部の適所に取り付けられており、ロッド１０の先端がアーム６の基部１２の上面に設けられた軸１１を中心に回動可能に取り付けられている。従って、油圧シリンダー９のロッド１０が伸縮作動することにより、アーム６が軸７を中心にして回動することができ、もって、補助ローラーで設定された深さに作業機２に設けられた耕部３が畝間の土壌に食い込んで耕す深さ（深耕レベル）が調整される。
【００１６】
油圧シリンダー９は、フロートデテントバルブ（図示せず）を備えている。このフロートデテントバルブの作動によって油圧シリンダー９は、伸縮可能となっている。フロートバルブは、予め設定された油圧値（０〜５０ｋｇ／ｃｍ２）に対して作動するようになっている。そして、油圧がこの設定値よりも小さければ、油圧が設定値と等しくなるようにロッド１０が所定の寸法だけ伸びるようになっており、逆に、油圧が設定値よりも大きければ、油圧が設定値と等しくなるようにロッド１０が所定の寸法だけ縮むようになっている。
【００１７】
この設定値は、補助ローラーで予め設定された耕部３の畝間の土壌に食い込んで耕す深さに対して設定されている。すなわち、補助ローラーにより予め設定された深耕レベル以上に土壌に深く食い込む場合には、油圧が設定値よりも大きくなり、油圧が設定値と等しくなるようにロッド１０が所定の寸法だけ縮むようになっている。逆に、予め設定された設定値に対する深耕レベル以下に土壌に食い込む場合には、油圧が設定値よりも小さくなり、油圧が設定値と等しくなるようにロッド１０が所定の寸法だけ伸びるようになっている。
【００１８】
従って、乗用型茶園管理機１が走行する畝間の土壌面が凹凸である場合などに、乗用型茶園管理機１が傾斜しても耕部３の深耕レベルを一定に保つように油圧シリンダー９が伸縮作動するので、常に、耕部３の深耕レベルを一定に保つことができると共に、アーム６に負荷が加わるのを抑制してアーム６が損傷するのを防止することができる。また、茶園の出入り口などは特に段差になっているが、この出入り口においても作業者は、乗用型茶園管理機１が傾斜することによってアーム６が損傷しないように神経を使う必要がなく、乗用型茶園管理機１を操作しやすい。
【００１９】
また、アーム６及び作業機２が軸１３を中心にして左右方向に揺動可能となっているため、乗用型茶園管理機１が蛇行走行しても、アーム６に負荷が加わるのを抑制し、もって、アーム６の損傷を防止することができる。また、図に示す弾性体は、圧縮コイルバネであるが、これに限定されず、要は、アーム６を中立位置に保持すると共に揺動可能にするものであれば板バネ等、どのようなものでもよい。また、弾性体の取付位置も、アーム６を中立位置に保持すると共に揺動可能にすることができればどのような位置であってもよい。
【００２０】
なお、図１及び図２には、乗用型茶園管理機１の作業機２の耕部３がロータリカルチであるものを示しており、図３及び図４には、乗用型茶園管理機１の作業機２の耕部３が螺旋ロータであるものを示している。
【図面の簡単な説明】
【００２１】
【図１】図１（ａ）は、本発明にかかる乗用型茶園管理機の実施の形態を示す右側面図、図１（ｂ）は、上記実施の形態を示す正面図である。
【図２】図２（ａ）は、上記実施の形態を示す左側面図、図２（ｂ）は、上記実施の形態を示す後面図である。
【図３】図３（ａ）は、上記実施の形態を示す右側面図、図３（ｂ）は、上記実施の形態を示す正面図である。
【図４】図４（ａ）は、上記実施の形態を示す左側面図、図４（ｂ）は、上記実施の形態を示す後面図である。
【図５】図５は、本発明に適用可能なアーム及び作業機を示す平面図である。
【符号の説明】
【００２２】
１        乗用型茶園管理機
２        作業機
３        耕部
４        クローラー
５        補助ローラー
６        アーム
７        軸
９        油圧シリンダー
１０        ロッド
１１        軸
１２        基部
１３        軸
１５        側部
１６        弾性体
３０        カバー
５０        茶園
６０        運転席
６１        操行ハンドル
６２        エンジン
６３        コントロールボックス
６４        燃料タンク
【図１】
2005110532.tif 000003
【図２】
2005110532.tif 000004
【図３】
2005110532.tif 000005
【図４】
2005110532.tif 000006
【図５】
2005110532.tif 000007